(57)【要約】    【課題】識別番号設定ＳＷを使用しないで増設親機等の識別番号の設定を行なう。    【解決手段】子機１に親機２、複数台の増設親機３ａ、３ｂ、３ｃ、・・・が接続され、増設親機は、ランダムノイズを発生するランダムノイズ発生器３４と、ランダムノイズをＡ／Ｄ変換し、増設親機の識別番号を発生して親機で識別番号を各増設親機毎に登録するための増設親機ＣＰＵ３３とを備えることにより、親機の電源投入又は増設親機のリセット操作時に増設親機の識別番号を相互に相違させる。    【選択図】図２
2005109835.tif 000002
【特許請求の範囲】
【請求項１】
子機（１）に親機（２）、複数台の増設親機（３ａ、３ｂ、３ｃ、・・・）が接続され、
前記増設親機は、ランダムノイズを発生するランダムノイズ発生器（３４）と、前記ランダムノイズをＡ／Ｄ変換し、前記増設親機の識別番号を発生して前記親機で前記識別番号を各増設親機毎に登録するための増設親機ＣＰＵ（３３）とを備えることにより、前記親機の電源投入又は前記増設親機のリセット操作時に前記増設親機の識別番号を相互に相違させることを特徴とするテレビドアホン装置。
【請求項２】
複数台の子機（１ａ、１ｂ、１ｃ、・・・）に親機（２）が接続され、
前記子機は、ランダムノイズを発生するランダムノイズ発生器（１４）と、前記ランダムノイズをＡ／Ｄ変換し、前記子機の識別番号を発生して前記親機で前記識別番号を各子機毎に登録するための子機ＣＰＵ（１３）とを備えることにより、前記親機の電源投入又は前記子機のリセット操作時に前記子機の識別番号を相互に相違させることを特徴とするテレビドアホン装置。
【請求項３】
前記親機は、前記増設親機又は前記子機の識別番号として既に登録した識別番号と重複しているとき前記増設親機ＣＰＵ又は子機ＣＰＵを起動し前記増設親機又は前記子機の識別番号を発生して前記親機で前記識別番号を各増設親機毎又は子機毎に再登録するための親機ＣＰＵ（２３）を備えることを特徴とする請求項１又は請求項２記載のテレビドアホン装置。
【請求項４】
前記ランダムノイズ発生器は、前記増設親機ＣＰＵ又は前記子機ＣＰＵに内蔵されていることを特徴とする請求項１乃至請求項３何れか１項記載のテレビドアホン装置。
【発明の詳細な説明】
【技術分野】
【０００１】
本発明は、テレビドアホン装置に係わり、特に識別機能を有する複数台の増設親機等を備えるテレビドアホン装置に関する。
【背景技術】
【０００２】
従来から、この種のテレビドアホン装置として、１台の親機と、この親機に接続され、識別番号設定スイッチ（ＳＷ）を有する複数台の増設親機とを備えて成るものが知られている（例えば、特許文献１参照）。
【０００３】
このテレビドアホン装置においては、電源投入又はリセット操作の前に、各増設親機において識別番号設定ＳＷを異なった設定にすることにより、各増設親機からそれぞれ異なったタイミングで異なった識別番号のデータが幹線に出力されることから、親機において、当該データを識別することができ、ひいては識別されたデータに基づいてテレビドアホン装置全体を制御することができる。
【０００４】
しかしながら、このような構成のテレビドアホン装置においては、各増設親機毎に電源投入又はリセット前に識別番号設定ＳＷによる設定操作が必要であり、また、識別番号設定ＳＷの誤設定により、機器が異常動作するという難点があった。
【０００５】
このため、識別番号設定ＳＷによる設定操作に代えて、各増設親機のＣＰＵに設けた乱数発生機能により、各増設親機の識別番号を自動生成する方法も案出されているが、このような方法においては、一般的に、ＣＰＵの乱数発生機能は標準関数を利用しているため、各増設親機を同時にリセット操作すると、各増設親機から同一の乱数が発生する確率が高く、このため、各増設親機の識別番号が同一となり、ひいては各増設親機を特定することができないという難点があった。
【０００６】
【特許文献１】特開２０００−２８６９６９号公報（段落番号「０００２」〜「０００６」、図４〜図６）
【発明の開示】
【発明が解決しようとする課題】
【０００７】
本発明は、このような難点を解決するためになされたもので、識別番号設定ＳＷを使用しなくても増設親機等の識別設定を行なうことができ、またＣＰＵの乱数発生機能を使用しても同一の識別番号を設定する虞のないテレビドアホン装置を提供することを目的としている。
【課題を解決するための手段】
【０００８】
本発明の第１の態様であるテレビドアホン装置は、子機に親機、複数台の増設親機が接続され、増設親機は、ランダムノイズを発生するランダムノイズ発生器と、ランダムノイズをＡ／Ｄ変換し、増設親機の識別番号を発生して親機で識別番号を各増設親機毎に登録するための増設親機ＣＰＵとを備えることにより、親機の電源投入又は増設親機のリセット操作時に増設親機の識別番号を相互に相違させるものである。
【０００９】
本発明の第２の態様であるテレビドアホン装置は、複数台の子機に親機が接続され、子機は、ランダムノイズを発生するランダムノイズ発生器と、ランダムノイズをＡ／Ｄ変換し、子機の識別番号を発生して親機で識別番号を各子機毎に登録するための子機ＣＰＵとを備えることにより、親機の電源投入又は子機のリセット操作時に子機の識別番号を相互に相違させるものである。
【００１０】
本発明の第３の態様は、第１の態様または第２の態様であるテレビドアホン装置において、記親機は、増設親機又は子機の識別番号として既に登録した識別番号と重複しているとき増設親機ＣＰＵ又は子機ＣＰＵを起動し増設親機又は子機の識別番号を発生して親機で識別番号を各増設親機毎又は子機毎に再登録するための親機ＣＰＵを備えるものである。
【００１１】
本発明の第４の態様は、第１の態様乃至第３の態様であるテレビドアホン装置において、ランダムノイズ発生器は、増設親機ＣＰＵ又は子機ＣＰＵに内蔵されているものである。
【発明の効果】
【００１２】
本発明の第１の態様乃至第４の態様であるテレビドアホン装置によれば、ランダムノイズ発生器とＣＰＵの乱数発生機能を組み合わせることによって増設親機や子機の識別番号を自動生成していることから、テレビドアホン装置全体が同時に起動しても、各増設親機若しくは各子機の識別番号を相違させることができる。
【発明を実施するための最良の形態】
【００１３】
以下、本発明のテレビドアホン装置を適用した好ましい実施の形態例について、図面を参照して説明する。ここで、図１は、本発明の第１の実施例におけるテレビドアホン装置のシステム構成図、図２は、本発明の第１の実施例におけるテレビドアホン装置のブロック図を示している。
【００１４】
図１において、本発明のテレビドアホン装置は、戸外に設置される子機１と、室内に設置される親機２並びに複数台の増設親機３ａ、３ｂ、３ｃ、・・・を備えており、これらの子機１、親機２および複数台の増設親機３ａ、３ｂ、３ｃ、・・・は幹線Ｌに接続されている。
【００１５】
親機２は、図２に示すように、親機ＣＰＵ２３と、親機データ出力回路２１と、親機データ入力回路２２とを備えており、親機ＣＰＵ２３は、親機データ出力回路２１および親機データ入力回路２２に接続され、親機データ出力回路２１および親機データ入力回路２２には幹線Ｌが接続されている。
【００１６】
各増設親機３ａ、３ｂ、３ｃ、・・・はそれぞれ同様の構成とされ、図２に示すように、増設親機データ出力回路３１と、増設親機データ入力回路３２と、ランダムノイズをＡ／Ｄ変換し、増設親機３ａ、３ｂ、３ｃ、・・・の識別番号を発生する増設親機ＣＰＵ３３と、ランダムノイズを発生するランダムノイズ発生器（以下「増設親機ランダムノイズ発生器」という。）３４とを備えている。ここで、増設親機ＣＰＵ３３は、増設親機データ出力回路３１、増設親機データ入力回路３２および増設親機ランダムノイズ発生器３４に接続され、増設親機データ出力回路３１および増設親機データ入力回路３２には幹線Ｌが接続されている。
【００１７】
次に、本発明の第１の実施例におけるテレビドアホン装置の動作について説明する。
【００１８】
先ず、例えば、親機２の電源を投入すると若しくは増設親機３ａ（以下「第１の増設親機３ａ」という。）をリセット操作すると、第１の増設親機３ａの増設親機ランダムノイズ発生アンプ３４からランダムノイズ信号が発生し、当該ランダムノイズ信号が親機増設ＣＰＵ３３へ入力される。
【００１９】
そして、親機２の電源を投入した時点若しくは第１の増設親機３ａをリセット操作した時点から所定時間（例えば１０ミリ秒程度）経過すると、当該経過時点（以下「第１の特定時点」という。）におけるランダムノイズ信号が親機増設ＣＰＵ３３においてアナログ信号からデジタル信号に変換され、乱数Ａ（例えば、８ビットＡ／Ｄ変換で０〜２５５）が発生する。また、これと共に、親機増設ＣＰＵ３３の標準プログラムである乱数発生機能により乱数Ａを元データとして乱数Ｂ（例えば、１〜１５）が発生する。
【００２０】
このようにして発生した乱数Ｂは、第１の増設親機３ａの特有の識別番号（以下「第１の識別番号」という。）として当該識別番号によりタイミングを変化させて増設親機データ出力回路３１、幹線Ｌおよび親機データ入力回路２２を介して親機ＣＰＵ２３へ送出される。
【００２１】
かかる第１の識別番号が親機ＣＰＵ２３で検出されると、親機ＣＰＵ２３において、既登録の識別番号（以下「既登録識別番号」という。）と照合され、第１の識別番号が既登録識別番号と重複しない場合は、親機ＣＰＵ２３から重複しない旨の信号（以下「不重複信号」）が出力され、当該不重複信号が親機データ出力回路２１、幹線Ｌおよび第１の増設親機３ａの増設親機データ入力回路３２を介して増設親機ＣＰＵ３３へ送出される。これにより、第１の識別番号が第１の増設親機３ａの識別番号として登録される。
【００２２】
一方、第１の識別番号が既登録識別番号と重複する場合は、親機ＣＰＵ２３から重複する旨の信号（以下「重複信号」）が出力され、当該重複信号が前述の不重複信号と同様の経路を経由して第１の増設親機３ａの増設親機ＣＰＵ３３へ送出される。
【００２３】
そして、かかる重複信号が親機増設ＣＰＵ３３で検出されると、当該親機増設ＣＰＵ３３が起動され、次のようにして前述の第１の識別番号と異なる識別番号が出力される。すなわち、前述の第１の特定時点と異なる時点におけるランダムノイズ信号が親機増設ＣＰＵ３３においてアナログ信号からデジタル信号に変換され、前述の乱数Ａと異なる乱数Ｃが発生する。また、これと共に、親機増設ＣＰＵ３３の標準プログラムである乱数発生機能により乱数Ｃを元データとして前述の乱数Ｂと異なる乱数Ｄが発生する。
【００２４】
このようにして発生した乱数Ｄは、第１の増設親機３ａの特有の識別番号（以下「第２の識別番号」という。）として当該識別番号によりタイミングを変化させて前述の第１の識別番号と同様の経路を経由して親機ＣＰＵ２３へ送出される。
【００２５】
かかる第２の識別番号が親機ＣＰＵ２３で検出されると、親機ＣＰＵ２３において、既登録識別番号と照合され、第２の識別番号が既登録識別番号と重複しない場合は、親機ＣＰＵ２３から重複していない旨の信号が出力され、当該信号が前述の不重複信号と同様の経路を経由して増設親機ＣＰＵ３３へ送出される。これにより、第２の識別番号が第１の増設親機３ａの識別番号として登録される。同様にして、他の増設親機３ｂ、３ｃ、・・・の識別番号も登録することができる。
【００２６】
図３は、本発明の第２の実施例におけるテレビドアホン装置のシステム構成図、図４は、本発明の第２の実施例におけるテレビドアホン装置のブロック図を示している。なお、これらの図において、図１および図２と共通する部分には同一の符号を付して詳細な説明を省略する。
【００２７】
図３において、本発明のテレビドアホン装置は、戸外に設置される複数台の子機１ａ、１ｂ、１ｃ、・・・と、室内に設置される親機２とを備えており、これらの各子機１ａ、１ｂ、１ｃ、・・・および親機２は幹線Ｌに接続されている。
【００２８】
各子機１ａ、１ｂ、１ｃ、・・・はそれぞれ同様の構成とされ、図４に示すように、子機データ出力回路１１と、子機データ入力回路１２と、ランダムノイズをＡ／Ｄ変換し、子機１ａ、１ｂ、１ｃ、・・・の識別番号を発生する子機ＣＰＵ１３と、ランダムノイズを発生するランダムノイズ発生器（以下「子機ランダムノイズ発生器」という。）１４とを備えている。ここで、子機ＣＰＵ１３は、子機親機データ出力回路１１、子機データ入力回路１２および子機ランダムノイズ発生器１４に接続され、子機データ出力回路１１および子機データ入力回路１２には幹線Ｌが接続されている。
【００２９】
次に、本発明の第２の実施例におけるテレビドアホン装置の動作について説明する。
【００３０】
先ず、前述の第１の実施例と同様に、例えば、親機２の電源を投入すると若しくは子機１ａ（以下「第１の子機１ａ」という。）をリセット操作すると、第１の子機１ａの子機ランダムノイズ発生アンプ１４からランダムノイズ信号が発生し、当該ランダムノイズ信号が子機ＣＰＵ１３へ入力される。
【００３１】
そして、親機２の電源を投入した時点若しくは第１の子機１ａをリセット操作した時点から所定時間経過すると、当該経過時点におけるランダムノイズ信号が子機ＣＰＵ１３においてアナログ信号からデジタル信号に変換され、前述の第１の実施例と同様に、乱数Ｅが発生し、またこれと共に、子機ＣＰＵ１３の標準プログラムである乱数発生機能により乱数Ｅを元データとして乱数Ｆが発生する。
【００３２】
このようにして発生した乱数Ｆは、第１の子機１ａの特有の識別番号（以下「第３の識別番号」という。）として当該識別番号によりタイミングを変化させて子機データ出力回路１１、幹線Ｌおよび親機データ入力回路２２を介して親機ＣＰＵ２３へ送出される。
【００３３】
かかる第３の識別番号が親機ＣＰＵ２３で検出されると、親機ＣＰＵ２３において、既登録識別番号と照合され、第３の識別番号が既登録識別番号と重複しない場合は、親機ＣＰＵ２３から不重複信号が出力され、当該不重複信号が子機データ出力回路１１、幹線Ｌおよび第１の子機１ａの子機データ入力回路１２を介して子機ＣＰＵ１３へ送出される。これにより、第３の識別番号が第１の子機１ａの識別番号として登録される。
【００３４】
一方、第３の識別番号が既登録識別番号と重複する場合は、子機ＣＰＵ１３から重複信号が出力され、当該重複信号が前述の不重複信号と同様の経路を経由して第１の子機１ａの子機ＣＰＵ１３へ送出される。
【００３５】
そして、かかる重複信号が子機ＣＰＵ１３で検出されると、当該子機ＣＰＵ１３が起動され、前述の第１の実施例と同様にして第３の識別番号と異なる第４の識別番号が出力され、当該第４の識別番号が前述の第３の識別番号と同様の経路を経由して親機ＣＰＵ２３へ送出される。
【００３６】
かかる第４の識別番号が親機ＣＰＵ２３で検出されると、親機ＣＰＵ２３において、既登録識別番号と照合され、第４の識別番号が既登録識別番号と重複しない場合は、親機ＣＰＵ２３から重複していない旨の信号が出力され、当該信号が前述の不重複信号と同様の経路を経由して子機ＣＰＵ１３へ送出される。これにより、第４の識別番号が第１の子機１ａの識別番号として登録される。同様にして、他の子機１ｂ、１ｃ、・・・の識別番号も登録することができる。
【産業上の利用可能性】
【００３７】
本発明のテレビドアホン装置における好ましい実施の形態例においては、増設親機ランダムノイズ発生器と増設親機ＣＰＵ若しくは子機ランダムノイズ発生器と子機ＣＰＵは、それぞれ別体で構成されているが、増設親機ランダムノイズ発生器は増設親機ＣＰＵに、子機ランダムノイズ発生器は子機ＣＰＵに内蔵させても同様の効果を得ることができる。
【図面の簡単な説明】
【００３８】
【図１】本発明の第１の実施例におけるテレビドアホン装置のシステム構成図。
【図２】本発明の第１の実施例におけるテレビドアホン装置のブロック図。
【図３】本発明の第２の実施例におけるテレビドアホン装置のシステム構成図。
【図４】本発明の第２の実施例におけるテレビドアホン装置のブロック図。
【符号の説明】
【００３９】
１、１ａ、１ｂ、１ｃ・・・子機子機
１３・・・子機ＣＰＵ
１４・・・ランダムノイズ発生器（子機ランダムノイズ発生器）
２・・・親機
２３・・・親機ＣＰＵ
３ａ、３ｂ、３ｃ、・・・増設親機
３３・・・増設親機ＣＰＵ
３４・・・ランダムノイズ発生器（増設親機ランダムノイズ発生器）
【図１】
2005109835.tif 000003
【図２】
2005109835.tif 000004
【図３】
2005109835.tif 000005
【図４】
2005109835.tif 000006